【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
移植骨もしくは骨切りした骨片を固定する固定用ねじであって、該固定用ねじは、該固定用ねじの側面に設けられたスクリュー部と、該固定用ねじを探索するための探索部材の先端部を該固定用ねじの基端側から挿入可能な探索部材挿入部と、該挿入部と連通するように該挿入部の基端側に設けられ該探索部材の先端部を該挿入部に誘導するための誘導用凹部と、該固定用ねじの基端部に設けられ該固定用ねじを回転させるための回転器具が取り付けられる回転器具取付部とを備えていることを特徴とする固定用ねじ。
【請求項２】
前記固定用ねじは、股関節の寛骨臼回転骨切り術の際に臼蓋骨片を骨盤に固定するためのものである請求項１に記載の固定用ねじ。
【請求項３】
前記固定用ねじは、前記スクリュー部を備えるねじ軸部と、前記誘導用凹部および前記回転器具取付部とを備えるねじ頭部とを備え、前記誘導用凹部の基端部の内径は、前記ねじ軸部の外径より大きく作製されている請求項１または２に記載の固定用ねじ。
【請求項４】
前記誘導用凹部は、先端側に向かって縮径する縮径部を備えている請求項１ないし３のいずれかに記載の固定用ねじ。
【請求項５】
前記縮径部は、内面が先端側に向かって曲面状に縮径する曲面状凹部である請求項４に記載の固定用ねじ。
【請求項６】
前記曲面状凹部は、先端側に向かって縮径する略半球状凹部もしくは略半楕円球状凹部である請求項５に記載の固定用ねじ。
【請求項７】
前記固定用ねじは、前記スクリュー部を備えるねじ軸部と、前記誘導用凹部および前記回転器具取付部とを備えるねじ頭部とを備え、前記挿入部は、前記誘導用凹部と連通し前記ねじ軸部内を先端側に向かって延びている請求項１ないし６のいずれかに記載の固定用ねじ。
【請求項８】
前記回転器具取付部は、前記誘導用凹部の基端部内面に設けられている請求項１ないし７のいずれかに記載の固定用ねじ。
【請求項９】
前記回転器具取付部は、前記誘導用凹部内面に設けられ、前記回転器具の先端部と嵌合する嵌合部である請求項１ないし８のいずれかに記載の固定用ねじ。
【請求項１０】
前記嵌合部は、前記誘導用凹部内面に設けられ縦方向に延びる一つもしくは複数の溝部である請求項９に記載の固定用ねじ。
【請求項１１】
前記固定用ねじは、前記スクリュー部を備えるねじ軸部と、前記誘導用凹部および前記回転器具取付部とを備えるねじ頭部とを備え、前記誘導用凹部の基端部内径は、前記ねじ軸部外径より１．０〜５．０ｍｍ大きくなっている請求項１ないし１０のいずれかに記載の固定用ねじ。
【請求項１２】
前記誘導用凹部の基端部内径は、５．０〜１１．０ｍｍである請求項１ないし１１のいずれかに記載の固定用ねじ。
【請求項１３】
前記請求項１ないし１２のいずれかに記載の固定用ねじを抜去するための抜去用具であって、該抜去用具は、前記固定用ねじの探索部材挿入部に挿入可能な先端部を有する探索部材と、該探索部材挿入部に先端部が挿入された該探索部材により直接的もしくは間接的に案内され体内へ挿入可能であり、該固定用ねじが体外へ取り出されるための通路を形成するための通路形成用スリーブと、該通路形成用スリーブにより案内され体内に挿入可能であり、該固定用ねじ付近の骨もしくは組織を切除可能な切除用スリーブと、該切除用スリーブ内に挿入可能であり、先端部が該固定用ねじの回転器具取付部に取り付け可能である該固定用ねじを回転させるための回転器具とを備えていることを特徴とする固定用ねじの抜去用具。
【請求項１４】
前記回転器具は、該回転器具が前記固定用ねじに取り付けられた状態で該回転器具が該固定用ねじから離脱することを防止する離脱防止機構を有している請求項１３に記載の固定用ねじの抜去用具。
【請求項１５】
前記離脱防止機構は、前記回転器具の先端部が前記誘導用凹部内面に取り付けられた状態で、該先端部を半径方向に拡大可能な拡大機構である請求項１４に記載の固定用ねじの抜去用具。
【請求項１６】
前記抜去用具は、前記切除用スリーブ内に挿入可能であり、先端部に前記固定用ねじの誘導用凹部内の骨もしくは組織を除去するための除去部を有する除去器具を備えている請求項１３ないし１５のいずれかに記載の固定用ねじの抜去用具。
【手続補正２】
【補正対象書類名】明細書
【補正対象項目名】０００４
【補正方法】変更
【補正の内容】
【０００４】
上記目的を達成するものは以下のものである。
（１）  移植骨もしくは骨切りした骨片を固定する固定用ねじであって、該固定用ねじは、該固定用ねじの側面に設けられたスクリュー部と、該固定用ねじを探索するための探索部材の先端部を該固定用ねじの基端側から挿入可能な探索部材挿入部と、該挿入部と連通するように該挿入部の基端側に設けられ該探索部材の先端部を該挿入部に誘導するための誘導用凹部と、該固定用ねじの基端部に設けられ該固定用ねじを回転させるための回転器具が取り付けられる回転器具取付部とを備えていることを特徴とする固定用ねじ。
（２）  前記固定用ねじは、股関節の寛骨臼回転骨切り術の際に臼蓋骨片を骨盤に固定するためのものである上記（１）に記載の固定用ねじ。
（３）  前記固定用ねじは、前記スクリュー部を備えるねじ軸部と、前記誘導用凹部および前記回転器具取付部とを備えるねじ頭部とを備え、前記誘導用凹部の基端部の内径は、前記ねじ軸部の外径より大きく作製されている上記（１）または（２）に記載の固定用ねじ。
（４）  前記誘導用凹部は、先端側に向かって縮径する縮径部を備えている上記（１）ないし（３）のいずれかに記載の固定用ねじ。
（５）  前記縮径部は、内面が先端側に向かって曲面状に縮径する曲面状凹部である上記（４）に記載の固定用ねじ。
（６）  前記曲面状凹部は、先端側に向かって縮径する略半球状凹部もしくは略半楕円球状凹部である上記（５）に記載の固定用ねじ。
（７）  前記固定用ねじは、前記スクリュー部を備えるねじ軸部と、前記誘導用凹部および前記回転器具取付部とを備えるねじ頭部とを備え、前記挿入部は、前記誘導用凹部と連通し前記ねじ軸部内を先端側に向かって延びている上記（１）ないし（６）のいずれかに記載の固定用ねじ。
（８）  前記回転器具取付部は、前記誘導用凹部の基端部内面に設けられている上記（１）ないし（７）のいずれかに記載の固定用ねじ。
（９）  前記回転器具取付部は、前記誘導用凹部内面に設けられ、前記回転器具の先端部と嵌合する嵌合部である上記（１）ないし（８）のいずれかに記載の固定用ねじ。
（１０）  前記嵌合部は、前記誘導用凹部内面に設けられ縦方向に延びる一つもしくは複数の溝部である上記（９）に記載の固定用ねじ。
（１１）  前記固定用ねじは、前記スクリュー部を備えるねじ軸部と、前記誘導用凹部および前記回転器具取付部とを備えるねじ頭部とを備え、前記誘導用凹部の基端部内径は、前記ねじ軸部外径より１．０〜５．０ｍｍ大きくなっている上記（１）ないし（１０）のいずれかに記載の固定用ねじ。
（１２）  前記誘導用凹部の基端部内径は、５．０〜１１．０ｍｍである上記（１）ないし（１１）のいずれかに記載の固定用ねじ。
【手続補正３】
【補正対象書類名】明細書
【補正対象項目名】０００５
【補正方法】変更
【補正の内容】
【０００５】
また、上記目的を達成するものは以下のものである。
（１３）  上記（１）ないし（１２）のいずれかに記載の固定用ねじを抜去するための抜去用具であって、該抜去用具は、前記固定用ねじの探索部材挿入部に挿入可能な先端部を有する探索部材と、該探索部材挿入部に先端部が挿入された該探索部材により直接的もしくは間接的に案内され体内へ挿入可能であり、該固定用ねじが体外へ取り出されるための通路を形成するための通路形成用スリーブと、該通路形成用スリーブにより案内され体内に挿入可能であり、該固定用ねじ付近の骨もしくは組織を切除可能な切除用スリーブと、該切除用スリーブ内に挿入可能であり、先端部が該固定用ねじの回転器具取付部に取り付け可能である該固定用ねじを回転させるための回転器具とを備えていることを特徴とする固定用ねじの抜去用具。
（１４）  前記回転器具は、該回転器具が前記固定用ねじに取り付けられた状態で該回転器具が該固定用ねじから離脱することを防止する離脱防止機構を有している上記（１３）に記載の固定用ねじの抜去用具。
（１５）  前記離脱防止機構は、前記回転器具の先端部が前記誘導用凹部内面に取り付けられた状態で、該先端部を半径方向に拡大可能な拡大機構である上記（１４）に記載の固定用ねじの抜去用具。
（１６）  前記抜去用具は、前記切除用スリーブ内に挿入可能であり、先端部に前記固定用ねじの誘導用凹部内の骨もしくは組織を除去するための除去部を有する除去器具を備えている上記（１３）ないし（１５）のいずれかに記載の固定用ねじの抜去用具。
【手続補正４】
【補正対象書類名】明細書
【補正対象項目名】００１９
【補正方法】変更
【補正の内容】
【００１９】
回転器具取付部９は、図２に示すように、誘導用凹部７の内面に設けられていることが好ましい。より好ましくは、回転器具取付部９は、誘導用凹部７の基端部内面に設けられていることが好ましい。また、回転器具取付部９は、誘導用凹部７の内面に設けられ、回転器具６５の先端部と嵌合する嵌合部であることが好ましい。嵌合部は、回転器具６５の先端部に設けられた凸部もしくは凹部に対応する形状の凹部もしくは凸部により構成されていることが好ましい。具体的に、嵌合部９は、誘導用凹部７の基端部内面に設けられ、縦方向に延びる複数の溝部（凹部）９ａにより構成されている。本発明の実施例において、回転器具６５の先端部には、図１５，図１７に示すように、溝部９ａに対応する形状を有する縦方向に延びる複数のリブ（突条部）７１ａにより構成された嵌合部７１が設けられている。なお、嵌合部は、一つの溝部により構成されていてもよい。
【手続補正５】
【補正対象書類名】明細書
【補正対象項目名】００３３
【補正方法】変更
【補正の内容】
【００３３】
具体的に、回転器具本体部材６６は、図１５に示すように、シャフト部７０と、シャフト部の先端部に設けられた嵌合部７１と、シャフト部７０の基端部に設けられた回転操作部（担持部）６９とを備えている。シャフト部７０は、中空のシャフト部である。
回転操作部６９は、図１５に示すように、シャフト部７０の基端部にシャフト部７０に対して直交するように設けられた棒状部である。回転操作部（担持部）６９としては、回転器具を回転させることができるものであればいかなるものであってもよい。
嵌合部７１は、固定用ねじ１の誘導用凹部７の内面に設けられた回転器具取付部９と嵌合可能な嵌合部であることが好ましい。嵌合部７１は、回転器具６５（回転器具本体部材６６）の先端部の外面に設けられている。このような構成により、回転器具６５は、固定用ねじ１の誘導用凹部７内面に設けられた回転器具取付部９に取り付けられる。
【手続補正６】
【補正対象書類名】明細書
【補正対象項目名】００３８
【補正方法】変更
【補正の内容】
【００３８】
拡大用部材６７は、回転器具本体部材６６の先端部を拡大させる部材である。拡大用部材６７は、図１５、図１６に示すように、回転器具本体部６６の内部に挿入されるピン８１と、ピン８１の基端部に設けられピン８１を回転させるための回転操作部とを備えている。また、拡大用部材６７のピンの基端部には、回転器具本体部材６６の基端部内部に設けられた螺合部８４と螺合する螺合部８５が形成されている。拡大用部材６７の内部には、軸方向に延びる貫通孔８３が形成されている。このような構成により、回転器具６５が探索部材３５により案内可能となる。
【手続補正７】
【補正対象書類名】明細書
【補正対象項目名】００３９
【補正方法】変更
【補正の内容】
【００３９】
また、回転器具６５は、回転器具６５が固定用ねじ１に取り付けられた状態で、回転器具６５が移植骨固定用ねじ１から離脱することを防止する離脱防止機構を有している。このような構成を有することにより、固定用ねじ１を体外へ取り出す際に固定用ねじ１が回転器具６５から離脱することを防止することができる。
離脱防止機構としては、回転器具６５の先端部が誘導用凹部７内面に取り付けられた状態で、先端部を半径方向に拡大可能な拡大機構であることが好ましい。本発明の実施例において、拡大機構は、拡大用部材６７と、回転器具本体部材６６内に形成された貫通孔８２と、回転器具６５に設けられた切り込み７９と、回転器具本体部材６６の先端部により構成されている。
【手続補正８】
【補正対象書類名】明細書
【補正対象項目名】００４７
【補正方法】変更
【補正の内容】
【００４７】
１  固定用ねじ
３  スクリュー部
５  探索部材挿入部
７  誘導用凹部
９  回転器具取付部
３５  探索部材
６５  回転器具
９５  骨（移植骨）
９６  骨盤